(57)【要約】【課題】施工性に優れ、さらには施工後における補修等においても利便性にも優れ、さらには意匠性も向上させることができる外壁材を提供する。【解決手段】建物外周に沿って配置され、建物外壁を形成する外壁材１、２１、４１であって、建物外装となる板状の部材である外装板２、２２、４２と、外装板の少なくとも１つの端面に沿って一面が配置される板状の片である端面片１２、３２、５２と、端面片の端部のうち、外装板の一方の面側に具備される端部から外装板とは反対側に延在する板状の片であるかぶせ片１３、３３、５３とを備える。【選択図】図１
2009035936.tif 000002
【特許請求の範囲】
【請求項１】
建物外周に沿って配置され、建物外壁を形成する外壁材であって、
建物外装となる板状の部材である外装板と、
前記外装板の少なくとも１つの端面に沿って一面が配置される板状の片である端面片と、
前記端面片の端部のうち、前記外装板の一方の面側に具備される端部から前記外装板とは反対側に延在する板状の片であるかぶせ片と、を備える外壁材。
【請求項２】
前記外装板が、２枚の板状の部材が所定の角度を有して１つの端面同士が付き合わされることにより建物の出隅を形成する出隅外装板とされ、前記出隅外装板の前記付き合わされた１つの端面に対向する端面のそれぞれに前記端面片及び前記かぶせ片が備えられることを特徴とする請求項１に記載の外壁材。
【請求項３】
前記外装板が、２枚の板状の部材が所定の角度を有して１つの端面同士が付き合わされることにより建物の入隅を形成する入隅外装板とされ、前記入隅外装板の前記付き合わされた１つの端面に対向する端面のそれぞれに前記端面片及び前記かぶせ片が備えられることを特徴とする請求項１に記載の外壁材。
【請求項４】
前記端面片の前記外装板が配置される前記一方の面と対向する他の面、及び／又は前記かぶせ片の前記端面片が配置される側の面にさらに弾性体を備えることを特徴とする請求項１〜３のいずれか一項に記載された外壁材。
【発明の詳細な説明】
【技術分野】
【０００１】
本発明は、建物の外周に備えられ外壁を形成するサイディング等の建物の外壁材に関し、詳しくは、施工性や意匠性を向上させることができる外壁材に関する。
【背景技術】
【０００２】
近年、建物外観に対する多種多様な要望に応えるため、外壁材として所定の大きさを有する板状のサイディングを並列させる手法がとられることが多い。これによればサイディングの室外側面に様々な模様を付すことができ、需要者の希望に近い外壁を容易に提供することができる。
【０００３】
しかし、サイディングによる外壁の形成にあっては、当該サイディングを建物外周に沿って並列させることによりおこなうので、施工時において各サイディングの位置関係には細心の注意を払う必要があった。例えば位置によって目地幅の大きさが異ならないようにするための注意を挙げることができる。
【０００４】
また、いわゆる建物の出隅と称される部分にサイディングを適切に配置するためには通常、あらかじめ「く」字状に形成された出隅部材を建物の出隅部分を覆うように配置する手法がとられる。ところが、当該出隅部材に隣り合う２つのサイディングはそれぞれ建物の他の面に配置されているサイディングなので、出隅部材を配置するスペースを精度良く確保するためには相応の高度な技術を要していた。
【０００５】
これらサイディングの問題点に関しては、出隅部の施工については例えば特許文献１のような構成が開示されている。これによれば、出隅部には出隅部材を取り付けるコーナー板を設け、その両端には出隅部材と隣り合う２つのサイディングの端部を接触させて包含させる断面略コ字状のソケット部を備えている。
【０００６】
【特許文献１】特開２００３−１８４２７１号公報
【発明の開示】
【発明が解決しようとする課題】
【０００７】
しかし、平面部分、入隅部分、及び出隅部分を問わずサイディングの配置をさらに容易にすることへの要望は高く、施工性の向上が必要であった。
【０００８】
また、特許文献１に記載のコーナー板では２つのソケット部内へそれぞれのサイディング端部を包含させつつ外壁へ取り付ける必要があるので、コーナー板の取り付けに際し、及びソケット部に包含されるサイディングの位置調整に関して所定の精度が要求され、相応の手順と技術が必要であった。
【０００９】
そこで本発明は上記問題に鑑み、施工性に優れ、さらには施工後における補修等においても利便性にも優れ、さらには意匠性も向上させることができる外壁材を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、建物外周に沿って配置され、建物外壁を形成する外壁材（１、２１、４１）であって、建物外装となる板状の部材である外装板（２、２２、４２）と、外装板の少なくとも１つの端面に沿って一面が配置される板状の片である端面片（１２、３２、５２）と、端面片の端部のうち、外装板の一方の面側に具備される端部から外装板とは反対側に延在する板状の片であるかぶせ片（１３、３３、５３）とを備える外壁材を提供することにより前記課題を解決する。
【００１２】
請求項２に記載の発明は、請求項１に記載の外壁材（１）における外装板が、２枚の板状の部材（２ａ、２ｂ）が所定の角度を有して１つの端面同士が付き合わされることにより建物の出隅を形成する出隅外装板（２）とされ、出隅外装板の付き合わされた１つの端面に対向する端面のそれぞれに端面片（１２、１２）及びかぶせ片（１３、１３）が備えられることを特徴とする。
【００１３】
請求項３に記載の発明は、請求項１に記載の外壁材（２１）における外装板が、２枚の板状の部材が所定の角度を有して１つの端面同士が付き合わされることにより建物の入隅を形成する入隅外装板（２２）とされ、入隅外装板の付き合わされた１つの端面に対向する端面のそれぞれに端面片（３２、３２）及びかぶせ片（３３、３３）が備えられることを特徴とする。
【００１４】
請求項４に記載の発明は、請求項１〜３のいずれか一項に記載された外壁材（１、２１、４１）における端面片（１２、３２、５２）の外装板（２、２２、４２）が配置される一方の面と対向する他の面、及び／又はかぶせ片（１３、３３、５３）の端面片が配置される側の面にさらに弾性体（１４、３４、５４）を備えることを特徴とする。
【発明の効果】
【００１５】
請求項１に記載の発明によれば、建物の外壁として設置した姿勢で、隣り合うサイディングとの相対位置の誤差は目地の幅として吸収されるとともに当該目地はかぶせ片により室外視から隠蔽されるので、目地幅のばらつきを気にすることなく施工することができ、施工性に優れた外壁材を提供することができる。また、この際室外視では幅のそろったかぶせ片が規則正しく配列されて見えるので意匠性にも優れた外壁材とすることが可能である。
【００１６】
請求項２に記載の発明によれば、出隅部に用いることにより上記効果を奏することができることに加え、出隅部を最後に覆うように設置することができ施工性に優れた出隅部の外壁材を提供することができる。またこれは取り外しも容易であることを意味し、出隅部の外壁材の交換等を他のサイディングへの影響なしにすることができる。
【００１７】
請求項３に記載の発明によれば、入隅部に用いることにより上記効果を奏することができることに加え、入隅部を最後に覆うように設置することができ施工性に優れた入隅部の外壁材を提供することができる。またこれは取り外しも容易であることを意味し、入隅部の外壁材の交換等を他のサイディングへの影響なしにすることができる。
【００１８】
請求項４に記載の発明によれば外壁材を設置することにより目地のシーリングも同時に行うことができ、施工性、及び利便性の高い外壁材を提供することができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１は第一実施形態に係る本発明の外壁材１（以下、「サイディング１」と記載することがある。）が建物に取り付けられた部分における該建物の水平断面図である。従って図１の紙面奥／手前方向が建物の高さ方向となる。また、図１において紙面上及び右が室外側、紙面下及び左が室内側である。図２は、図１に示した建物のうち、サイディング１のみを示した図である。図３はサイディング１の分解斜視図である。また図４はサイディング１を建物出隅部に取り付ける場面を模式的に示した図である。以下図１〜図４を参照しつつ、はじめにサイディング１について説明し、その後、サイディング１の建物への配置について説明する。
【００２２】
サイディング１は、図１からもわかるように建物の出隅部に用いられるサイディングであり、出隅外装板２及び端部部材１０を備えている。
出隅外装板２は、通常の外装板２ａ、２ｂを略直角に組み合わせて形成した出隅用の外装板で、図３からわかるように図２に示した断面を有して図２の紙面奥／手前方向に延在する。従って室外側に配置される面は意匠面とされ、模様や色彩が付されている。また、直角に形成するために突き合わされる外装板２ａ、２ｂ端部は図に表れているように斜めに切り欠かれており、該切り欠かれた面が合わされる。また、これにより形成された角部は面取りにより角が除去された形状となっている。
【００２３】
このように、出隅外装板２として予め出隅を形成した部材を適用することにより、出隅部へのサイディングの配置が容易となる。当該出隅外装板２の種類は特に限定されることはなく、窯業系、金属系、セラミック系のいずれであってもよい。ここで本実施形態における出隅外装板２は直角に形成されているものを説明したが、本発明はこれに限定されることはなく、鋭角、鈍角であるいずれの出隅外装板にも適用することができる。ここでは最も一般的な直角である場合を好ましい態様として説明した。
【００２４】
端部部材１０は、図３からわかるように、所定の厚さの板を曲げるように形成し、図２に示した断面を有して図２の紙面奥／手前方向に延在する型材である。詳しくは、端部部材１０は、ベース１１、端面片１２、１２、かぶせ片１３、１３、及び弾性体１４、１４を有している。
ベース１１は、断面において直角に折り曲げられた「く」字状の片であり、折り曲げられた部分は角が取られるように斜めに形成されている。ベース１１は、該ベース１１の「く」字状である外側面（図２における紙面右及び上側の面）が出隅外装板２の「く」字状である内側面（図２における紙面左及び下側の面）に沿うように構成されている。そしてベース１１の各片の長さは、出隅外装板２の上記内側面を形成する辺と略同一である。
【００２５】
端面片１２、１２はベース１１の両端から、「く」字状であるベース１１の外側に向けて該ベース１１の面に垂直に延在する片である。その長さは出隅外装板２の厚さと同一又は若干長い。
【００２６】
かぶせ片１３、１３は、端面片１２、１２の端部のうち、ベース１１とは反対側の端部から延在する片である。当該かぶせ片１３、１３は、端面片１２、１２の面と略垂直であるとともに、ベース１１から離れる方向に設けられる。ベース１１から離れる方向の長さは、外壁材１を建物に設置したときに想定される目地の幅よりも長いものとする。
【００２７】
また、図２に示したようにかぶせ片１３、１３には、その端部のうち端面片１２、１２とは反対側の端部に折り返し１３ａ、１３ａが設けられていてもよい。これによりかぶせ片１３、１３の端部の外観をよくすることができるとともに、該端部を隣接するサイディング３、４の表面により強く密着させることができる。さらにかぶせ片１３、１３は本実施形態では室外側に凸となるように湾曲して形成されているが、これに限定されることはなく直線であってもよい。
【００２８】
ここまで説明したベース１１、端面片１２、１２、及びかぶせ片１３、１３は一体で形成されても別体で形成されてもよいが取扱いの観点から一体であることが好ましい。また、材質は特に限定されることはないが、薄くても比較的高い強度を得られることから金属であることが好ましい。これには例えばステンレス鋼板、アルミニウム板、塗装溶融亜鉛めっき鋼板、塗装溶融亜鉛−５％アルミニウム合金めっき鋼板、塗装溶融５５％アルミニウム−亜鉛合金めっき鋼板、塗装溶融亜鉛−６％アルミニム−３％マグネシウム合金めっき鋼板、塗装溶融亜鉛−１１％アルミニウム−３％マグネシウム−０．２％シリコン合金めっき鋼板等を挙げることができる。また材料の厚みは所定の強度を得ることができる範囲でできるだけ薄い方がよく、０．２５〜２ｍｍ程度が好ましい。
【００２９】
弾性体１４、１４は、発泡体やゴム等のような素材自体に金属に比べて大きな伸縮が可能な部材で略矩形の断面を有している。弾性体１４、１４は、図２からもわかるように矩形である断面の一辺が端面片１２、１２の一面で、かぶせ片１３、１３と同じ側の面に取り付けられ固定されている。このとき、弾性体１４、１４のかぶせ片１３、１３が延在する方向に平行な方向の大きさは、想定される目地の幅よりも大きくする。
【００３０】
以上のような形状を有する出隅外装板２と端部部材１０とは図１、図２に示したように組み合わされている。すなわち、出隅外装板２の室内側に配置される面と、端部部材１０の室外側に配置される面とが合わされるように接触されるとともに、出隅外装板２の端面と端面片１２、１２の面とが接触される。固定方法は特に限定されるものではないが、例えばビス等による留め付けや接着剤による貼り付けを挙げることができる。このように出隅外装板２と端部部材１０とを組み合わせてサイディング１を形成することにより、断面において出隅外装板２の両端からかぶせ片１３、１３が延在している形態とすることが可能である。
【００３１】
次に以上説明したサイディング１の建物への設置、及び取り外しについて図１及び図４を参照しつつ説明する。
サイディング１を取り付ける場面では、サイディング１を設置する前にこれに隣り合う平面状の通常のサイディング３、４が取り付けられる。サイディング３、４は通常の建物への取り付け方法によればよく、特に限定されることはない。本実施形態では建物躯体５に取り付けられたサイディング取付部材６、６を介してこれに引っ掛けるようにサイディング３、４を建物に固定している。ここで、サイディング３、４を設置する際には、出隅部には本発明のサイディング１を使用するので、サイディング３、４の位置をある程度の調整は必要であるものの、従来のように厳密に決めておく必要がない。
【００３２】
次に、図４にＡで示した矢印のようにサイディング１を出隅部へ取り付け、図１に示した姿勢とする。サイディング１の取り付け方法は、サイディング３、４と同様にサイディング取付部材６、６を介して躯体５に取り付けた。
サイディング１の出隅部への取り付けにおいて、サイディング１を最後に出隅部を覆うように取り付けることができ、あらかじめ出隅部特有の他の部材を出隅部に設置しておく必要がなく施工が容易である。これは、同時に取り外し、取り換えも容易であることも意味し利便性を向上させることができる。
【００３３】
また、このように後から出隅部を覆うように取り付けるので隣り合うサイディング３、４との相対位置の誤差は目地幅として吸収され、これまでのように隣り合うサイディングとの厳密な位置調整を不要とすることができる。さらに本実施形態のように弾性体１４、１４をもうければ同時に目地のシーリングもすることができ、利便性を向上させることが可能である。
【００３４】
加えて、かぶせ片１３、１３を設けることにより、該かぶせ片１３、１３が目地部を室外視から隠蔽し、出隅部の両端に形成された目地の幅が大きく異なっていても室外にはかぶせ片１３、１３が同じ幅で見えるのみであり、意匠性を向上させることもできる。
【００３５】
以上説明したサイディング１において、弾性体１４、１４の位置はこれに限定されることはない。弾性体１４が配置されるのは室外側から室内側に目地を通じて雨水等の侵入を防ぐものであり、この目的を達するものであれば弾性体の位置、及びその有無を本実施形態とは異なるものとすることができる。例えば弾性体の位置については、目地内でなく、かぶせ部のうち隣り合うサイディング側の面に取り付けられてもよい。また、弾性体の有無については、例えば折り返しが適切に隣り合うサイディングと密着し、防水の効果を十分に発揮することができれば弾性体を用いる必要はない。
【００３６】
図５は第一実施形態のサイディング１の１つの変形例を示す図である。図５には図２と同じ視点で変形例であるサイディング１’を示した。以下に説明する事項以外は上記サイディング１の説明と共通である。
【００３７】
当該変形例では、端部部材１０’が端部部材１０のように１つに形成されておらず、出隅外装板２’の２つの端部それぞれに端部部材１０’、１０’が配置されている。端部部材１０’は、ベース１１’、端面片１２’、かぶせ片１３’、折り返し１３ａ’、及び弾性体１４’を備えている。従ってベース１１’はベース１１と異なり出隅外装板２’の外装板２ａ’、２ｂ’のいずれかに沿って配置される平板状の片である。他の各構成については端部部材１０の説明が共通するのでここでは説明を省略する。このように、それぞれの端部に別個に端部部材１０’、１０’が設けられる態様も本発明の外壁材とすることが可能である。
【００３８】
図６は第一実施形態のサイディング１の他の変形例を示す図である。当該他の変形例であるサイディング１’’は、出隅外装板２’’の２つの端部それぞれに端部部材１０’’、１０’’が配置されている。そして当該端部部材１０’’は、端面片１２’’、かぶせ片１３’’、折り返し１３ａ’’、及び弾性体１４’’を備えている。これからもわかるようにサイディング１’’ではベースを有していない点が異なる。他の構成については上記説明と共通する。このようにベースが設けられなくても本発明の外壁材とすることができる。
【００３９】
図７は第二実施形態に係る本発明の外壁材２１（以下、「サイディング２１」と記載することがある。）が建物に取り付けられた部分における該建物の水平断面図である。従って図７の紙面奥／手前方向が建物の高さ方向となる。また、図７において紙面上及び右が室外側、紙面下及び左が室内側である。
図８は、図７に示した建物のうち、サイディング２１のみを示した図である。また図９はサイディング２１を入隅部に取り付ける場面を模式的に示した図である。以下図７〜図９を参照しつつ、はじめにサイディング２１について説明し、その後、サイディング２１の建物への配置について説明する。
【００４０】
サイディング２１は、図７からもわかるように建物の入隅部に用いられるサイディングであり、入隅外装板２２及び端部部材３０を備えている。
入隅外装板２２は、通常の外装板２２ａ、２２ｂを入隅を形成するように略直角に組み合わせた外装板で、図８に示した断面を有して図８の紙面奥／手前方向に延在する。従って室外側に配置される面は意匠面とされ、模様や色彩が付されている。また、直角に形成するために突き合わされる外装板２２ａ、２２ｂ端部は図８に表れているように斜めに切り欠かれており該切り欠かれた面が合わされる。また、これにより形成された入隅とは反対側に形成される角部は面取りにより角が除去された形状となっている。
【００４１】
このように、入隅外装板２２として予め入隅を形成した部材を適用することにより、入隅部へのサイディングの配置が容易となる。当該入隅外装板２２の種類は特に限定されることはなく、窯業系、金属系、セラミック系のいずれであってもよい。ここで本実施形態における入隅外装板２２は直角に形成されているものを説明したが、本発明はこれに限定されることはなく、鋭角、鈍角であるいずれの入隅外装板にも適用することができる。ここでは最も一般的な直角である場合を好ましい態様として説明した。
【００４２】
端部部材３０は、所定の厚さの板を曲げるように形成され、図８に示した断面を有して図８の紙面奥／手前方向に延在する型材である。詳しくは、端部部材３０は、ベース３１、端面片３２、３２、かぶせ片３３、３３、及び弾性体３４、３４を有している。
ベース３１は、断面において直角に折り曲げられた「く」字状の片である。ベース３１は、該ベース３１の「く」字状である入隅面（図７における紙面右上側の面）が入隅外装板２２の入隅面でない面（図７における紙面左下側の面）に沿うように構成されている。そしてベース３１の各片は、上記沿うように構成される入隅外装板２２の辺と略同一の長さである。
【００４３】
端面片３２、３２はベース３１の両端から、「く」字状であるベース３１の入隅面側
に向けて該ベース３１の面に垂直に延在する片である。延在する長さは入隅外装板２２の厚さと同一又は若干長く形成されている。
【００４４】
かぶせ片３３、３３は、端面片３２、３２の端部のうち、ベース３１とは反対側の端部から延在する片である。当該かぶせ片３３、３３は、端面片３２、３２の面と略垂直であるとともに、ベース３１から離れる方向に設けられる。ベース３１から離れる方向の長さは想定される目地の幅よりも大きいものとする。
【００４５】
また、図８に示したようにかぶせ片３３、３３には、その端部のうち端面片３２、３２とは反対側の端部に折り返し３３ａ、３３ａが設けられていてもよい。これによりかぶせ片３３、３３の端部の外観をよくすることができるとともに、該端部を隣接するサイディング２３、２４の表面により強く密着させることができる。さらにかぶせ片３３、３３は本実施形態では室外側に凸となるように湾曲して形成されているが、これに限定されることはなく直線であってもよい。
【００４６】
ここまで説明したベース３１、端面片３２、３２、及びかぶせ片３３、３３は一体で形成しても別体で形成してもよいが、取扱いの観点から一体であることが好ましい。また、材質は特に限定されることはないが、薄くても比較的高い強度を得られることから金属であることが好ましい。これには例えばステンレス鋼板、アルミニウム板、塗装溶融亜鉛めっき鋼板、塗装溶融亜鉛−５％アルミニウム合金めっき鋼板、塗装溶融５５％アルミニウム−亜鉛合金めっき鋼板、塗装溶融亜鉛−６％アルミニム−３％マグネシウム合金めっき鋼板、塗装溶融亜鉛−１１％アルミニウム−３％マグネシウム−０．２％シリコン合金めっき鋼板等を挙げることができる。また材料の厚みは所定の強度を得ることができる範囲でできるだけ薄い方がよく、０．２５〜２ｍｍ程度が好ましい。
【００４７】
弾性体３４、３４は、発泡体やゴム等のような素材自体に金属に比べて大きな伸縮性を有する部材で略矩形の断面を有している。弾性体３４、３４は、図８からもわかるように矩形である断面の一辺が端面片３２、３２の一面で、かぶせ片３３、３３と同じ側の面に取り付けられて固定されている。このとき、弾性体３４、３４のかぶせ片３３、３３が延在する方向に平行な方向の大きさは、想定される目地の幅よりも大きくする。
【００４８】
以上のような形状を有する入隅外装板２２と端部部材３０とは図８に示したように組み合わされる。すなわち、入隅外装板２２の室内側に配置される面と、端部部材３０の室外側に配置される面とが合わされるように接触されるとともに、入隅外装板２２の端面と端面片３２、３２の面とが接触される。固定方法は特に限定されるものではないが、例えばビス等による留め付けや接着剤による貼り付けを挙げることができる。このように入隅外装板２２と端部部材３０とを組み合わせてサイディング２１を形成することにより、断面において入隅外装板２２の両端からかぶせ片３３、３３が延在している形態とすることが可能である。
【００４９】
次に以上説明したサイディング２１の建物への設置、及び取り外しについて図７及び図９を参照しつつ説明する。
サイディング２１を取り付ける場面では、サイディング２１を設置する前にこれに隣り合う平面状の通常のサイディング２３、２４が取り付けられる。サイディング２３、２４は通常の建物への取り付け方法によればよく、特に限定されることはない。本実施形態では補助下地２５ａ、２５ａに取り付けられたサイディング取付部材２６、２６、…を介してこれに引っ掛けるようにサイディング２３、２４を建物に固定している。ここで、サイディング２３、２４を設置する際には、入隅部には本発明のサイディング２１を使用するので、サイディング２３、２４の位置をある程度の調整は必要であるものの、従来のように厳密に決めておく必要はない。
【００５０】
次に、図９にＢで示した矢印のようにサイディング２１を入隅部へ取り付け、図７に示した姿勢とする。サイディング２１の取り付け方法は、サイディング２３、２４と同様にサイディング取付部材２６、２６を介して躯体２５に隣接する補助下地２５ｂ、２５ｂに取り付けるものとした。
サイディング２１の入隅部への取り付けにおいて、これを最後に入隅部を覆うように取り付けることができ、あらかじめ入隅部特有の他の部材を入隅部に設置しておく必要がなく施工が容易である。これは、同時に取り外し、取り換えも容易であることも意味しており利便性を向上させることができる。
【００５１】
また、このように後から入隅部を覆うように取り付けるので隣り合うサイディング２３、２４との相対位置の誤差は目地幅として吸収され、これまでのように隣り合うサイディングとの厳密な位置調整を不要とすることができる。さらに本実施形態のように弾性体３４、３４を設ければ同時に目地のシーリングもすることができ、利便性を向上させることが可能である。
【００５２】
加えて、かぶせ片３３、３３により、該かぶせ片３３、３３が目地部を室外視から隠蔽し、入隅部の両端に形成された目地の幅が大きく異なっていても室外にはかぶせ片３３、３３が同じ幅で見えるのみであるから意匠性を向上させることもできる。
【００５３】
以上説明したサイディング２１において、弾性体３４、３４の位置、及び有無はこれに限定されることはない。弾性体３４が配置されるのは室外側から室内側に目地を通じて雨水等の侵入を防ぐことが目的であり、この目的を達するものであれば弾性体の位置、及びその有無を本実施例とは異なるものとすることができる。例えば弾性体の位置については、目地内でなく、かぶせ部の室内側に配置される面に取り付けられてもよい。また、弾性体の有無については、例えば折り返しが適切に隣り合うサイディングと密着し、防水の効果を十分に発揮することができれば弾性体を用いる必要はない。
【００５４】
図１０は第二実施形態のサイディング２１の変形例を示す図である。図１０は図８と同じ視点で変形例であるサイディング２１’を示した。以下に説明する事項以外は上記端部部材３０及びサイディング２１の説明と同じである。
【００５５】
当該変形例では、端部部材３０’が端部部材３０のように１つに形成されておらず、入隅外装板２２’の端部それぞれに端部部材３０’、３０’が配置されている。端部部材３０’は、ベース３１’、端面片３２’、かぶせ片３３’、折り返し３３ａ’、及び弾性体３４’を備えている。従ってベース３１’はベース３１と異なり入隅外装板２２’の外装板２２ａ’、２２ｂ’のいずれかに沿って配置される平板状の片である。他の各構成については端部部材３０の説明が共通するのでここでは省略する。このように、それぞれの端部に別個に端部部材３０’、３０’が設けられる態様も本発明の外壁材とすることが可能である。
【００５６】
また、詳しい説明は省略するが当該サイディング２１についても第一実施形態の他の変形例で示した形態の変形をすることができる。
【００５７】
図１１は第三実施形態に係る本発明の外壁材４１、４１、４１（以下、「サイディング４１、４１、４１」と記載することがある。）が建物に取り付けられた部分における該建物の水平断面図である。従って図１１の紙面奥／手前方向が建物の高さ方向となる。また、図１１において紙面上が室外側、紙面下が室内側である。
図１２は、図１１に示した建物のうち、１つのサイディング４１のみを示した図である。また図１３はサイディング４１を建物に取り付ける場面を模式的に示した図である。以下図１１〜図１３を参照しつつ、はじめにサイディング４１について説明し、その後、サイディング４１の建物への配置について説明する。
【００５８】
サイディング４１は、図１１からもわかるように建物の外周に沿って用いられるサイディングであり、外装板４２及び端部部材５０を備えている。
外装板４２は、通常の平板状である部材で、図１２に示した断面を有して図１２の紙面奥／手前方向に延在する。従って室外側に配置される面は意匠面とされ、模様や色彩が付されている。外装板４２の種類は特に限定されることはなく、窯業系、金属系、セラミック系のいずれであってもよい。
【００５９】
端部部材５０は、所定の厚みの板を曲げるように形成し、図１２に示した断面を有して図１２の紙面奥／手前方向に延在する型材である。詳しくは、端部部材５０は、ベース５１、端面片５２、かぶせ片５３、及び弾性体５４を有している。
【００６０】
ここで、ベース５１、端面片５２、及びかぶせ片５３で断面略クランク状となるように配置されている。そして端面片５２の図１２に表れる長さは外装板４２の厚さと同一又は若干長く形成され、かぶせ片５３の図１２に表れる長さは想定される目地の幅よりも長いものとされる。
【００６１】
また、図１２に示したようにかぶせ片５３には、その端部のうち端面片５２とは反対側の端部に折り返し５３ａが設けられていてもよい。これによりかぶせ片５３の端部の外観をよくすることができるとともに、該端部を隣接する外装板４２の表面により強く密着させることができる。さらにかぶせ片５３は本実施形態では室外側に凸となるように湾曲して形成されているが、これに限定されることはなく直線であってもよい。
【００６２】
ここまで説明したベース５１、端面片５２、及びかぶせ片５３は一体で形成しても別体で形成してもよいが、取扱いの観点から一体であることが好ましい。また、材質は特に限定されることはないが、薄くても比較的高い強度を得られることから金属であることが好ましい。これには例えばステンレス鋼板、アルミニウム板、塗装溶融亜鉛めっき鋼板、塗装溶融亜鉛−５％アルミニウム合金めっき鋼板、塗装溶融５５％アルミニウム−亜鉛合金めっき鋼板、塗装溶融亜鉛−６％アルミニム−３％マグネシウム合金めっき鋼板、塗装溶融亜鉛−１１％アルミニウム−３％マグネシウム−０．２％シリコン合金めっき鋼板等を挙げることができる。また材料の厚みは所定の強度を得ることができる範囲でできるだけ薄い方がよく、０．２５〜２ｍｍ程度が好ましい。
【００６３】
弾性体５４は、発泡体やゴム等のような素材自体に金属に比べて大きな伸縮性を有する部材で略矩形の断面を有している。弾性体５４は、図１２からもわかるように矩形である断面の一辺が端面片５２の一面で、かぶせ片５３と同じ側の面に取り付けられて固定されている。このとき、弾性体５４のかぶせ片５３が延在する方向に平行な方向の大きさは、想定される目地の幅よりも大きくする。
【００６４】
以上のような形状を有する外装板４２と端部部材５０とは図１２に示したように組み合わされる。すなわち、外装板４２の室内側に配置される面と、ベース５１の室外側に配置される面とが合わされるように接触されるとともに、外装板４２の１つの端面と端面片５２の弾性体５４が配置されない側の面とが接触される。固定方法は特に限定されるものではないが、例えばビス等による留め付けや接着剤による貼り付けを挙げることができる。
【００６５】
次に以上説明したサイディング４１の建物への設置、及び取り外しについて図１１及び図１３を参照しつつ説明する。
サイディング４１を取り付ける場面では、サイディング４１を建物の一方側から順に他方に向けて建物外周に沿って取り付ける。このとき図１１に示したように、サイディング４１の端部のうち、端部部材５０が配置されていない側の端部を隣り合うサイディング４１のかぶせ片５３の室内側に配置するように並列させる。これにより目地が室外視から隠蔽される。サイディング４１、４１、４１の建物への取り付けは通常の建物への取り付け方法によればよく、特に限定されることはない。これには例えば建物躯体に取り付けられたサイディング取付部材を介してこれに引っ掛けるように固定することを挙げることができる。
【００６６】
また、本発明のサイディング４１ではすでにサイディング４１、４１間に配置されたサイディング４１であって図１３に矢印Ｃで示したように取り外し及び取付が容易である。従って、例えば不具合の生じた１枚のサイディング４１を他のサイディング４１に影響を与えることなく取り換えることも可能である。
【００６７】
さらに本実施形態のように弾性体５４、５４、５４を設ければ同時に目地のシーリングもすることができ、利便性を向上させることが可能である。
【００６８】
加えて、かぶせ片５３、５３により、該かぶせ片５３、５３が目地部を室外視から隠蔽し、配置の関係状どうしても目地の幅にばらつきができてしまう場合であっても室外側にはかぶせ片５３、５３が同じ幅で見えるのみであるから意匠性を向上させることもできる。
【００６９】
以上説明した端部部材５０及びサイディング４１において、弾性体５４、５４の位置、及び有無はこれに限定されることはない。弾性体５４が配置されるのは室外側から室内側に目地を通じて雨水等の侵入を防ぐことが目的であり、この目的を達するものであれば弾性体の位置、及びその有無を本実施例とは異なるものとすることができる。例えば弾性体の位置については、目地内に配置される位置でなく、かぶせ部の室内側に配置される面に取り付けられてもよい。また、弾性体の有無については、例えば折り返しが適切に隣り合うサイディングと密着し、防水の効果を十分に発揮することができれば弾性体を用いる必要はない。
【００７０】
また、サイディング４１の変形例として第一実施形態において他の変形例として説明したように、ベースを具備しないサイディングとすることも可能である。
【００７１】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う外壁材もまた本発明の技術的範囲に包含されるものとして理解されなければならない。
【図面の簡単な説明】
【００７２】
【図１】第一実施形態に係る本発明の外壁材が備えられた建物の部分の水平断面図である。
【図２】図１で示した外壁材の図である。
【図３】外壁材の分解斜視図である。
【図４】外壁材を建物に取り付ける場面を示した図である。
【図５】第一実施形態の外壁材の１つの変形例を示す図である。
【図６】第一実施形態の外壁材の他の変形例を示す図である。
【図７】第二実施形態に係る本発明の外壁材が備えられた建物の部分の水平断面図である。
【図８】図７で示した外壁材を示す図である。
【図９】図８に示した外壁材を建物に取り付ける場面を示した図である。
【図１０】第二実施形態の外壁材の変形例を示す図である。
【図１１】第三実施形態に係る本発明の外壁材が具備された建物の部分の水平断面図である。
【図１２】図１１で示した外壁材を示す図である。
【図１３】図１１に示した外壁材の取り付け取り外しの説明する図である。
【符号の説明】
【００７３】
１  外壁材（サイディング）
２  出隅外装板（外装板）
２ａ、２ｂ  外装板（板状の部材）
３、４  サイディング
５  躯体
６  サイディング取付部材
１０  端部部材
１１  ベース
１２  端面片
１３  かぶせ片
１４  弾性体
２１  外壁材（サイディング）
２２  入隅外装板（外装板）
２２ａ、２２ｂ  外装板（板状の部材）
２３、２４  サイディング
２５  躯体
２５ａ、２５ｂ  補助下地
２６  サイディング取付部材
３０  端部部材
３１  ベース
３２  端面片
３３  かぶせ片
３４  弾性体
４１  外壁材（サイディング）
４２  外装板
５０  端部部材
５１  ベース
５２  端面片
５３  かぶせ片
５４  弾性体
【図１】
2009035936.tif 000003
【図２】
2009035936.tif 000004
【図３】
2009035936.tif 000005
【図４】
2009035936.tif 000006
【図５】
2009035936.tif 000007
【図６】
2009035936.tif 000008
【図７】
2009035936.tif 000009
【図８】
2009035936.tif 000010
【図９】
2009035936.tif 000011
【図１０】
2009035936.tif 000012
【図１１】
2009035936.tif 000013
【図１２】
2009035936.tif 000014
【図１３】
2009035936.tif 000015